(57)【要約】 【課題】  回転可能な回転ユニットを有する建物において、地震時に建物全体の震動を抑制する。【解決手段】  本発明は、回転可能な回転ユニット５と、前記回転ユニット５を揺動可能に支持する揺動支持機構３０を有することを特徴とする建物１とした。回転ユニット５の揺動によって建物１の震動を軽減できる。【選択図】  図３
2017214705.tif 000002
【特許請求の範囲】
【請求項１】
回転可能な回転ユニットと、前記回転ユニットを揺動可能に支持する揺動支持機構を有することを特徴とする建物。
【請求項２】
前記回転ユニットが、建物のフロアに対して揺動可能であることを特徴とする請求項１に記載の建物。
【請求項３】
前記回転ユニットが、建物のフロアに対して横方向に揺動可能であることを特徴とする請求項１又は２に記載の建物。
【請求項４】
前記回転ユニットが、複数の部屋を有することを特徴とする請求項１〜３のいずれか一項に記載の建物。
【請求項５】
前記回転ユニットが円環状の形状を有し、前記回転ユニットの外側及び内側に、前記回転ユニットの揺動のためのスペースを設けたことを特徴とする請求項１〜４のいずれか一項に記載の建物。
【請求項６】
前記回転ユニットを回転させるための回転機構が天井に設置され、前記回転ユニットが前記回転機構から前記揺動支持機構によって吊り下げられていることを特徴とする請求項１〜５のいずれか一項に記載の建物。
【請求項７】
前記建物の四隅に非常階段を設けたことを特徴とする請求項１〜６のいずれか一項に記載の建物。
【発明の詳細な説明】
【技術分野】
【０００１】
本発明は、回転可能な回転ユニットを有する建物に関する。
【背景技術】
【０００２】
特許文献１、２は、回転ユニットを回転させることで部屋の向きや眺望を変えることができる建物を開示している。このような建物では、回転ユニットを回転させるための複雑又は大重量の機構を有するため、通常の建物よりも高い耐震性が必要になる。
【先行技術文献】
【特許文献】
【０００３】
【特許文献１】特開２００８−０７５２４２号公報
【特許文献２】特開２００５−１７１６８３号公報
【発明の概要】
【発明が解決しようとする課題】
【０００４】
特許文献１では、回転ユニットを片持ち支持する構造であるため、地震による疲労破壊に強くなると記載されている。しかし、回転ユニットの被害を小さくできるだけであり、建物全体の震動を抑制する効果はない。特許文献２では、コロ部材に免震機構（積層ゴム）を使用すると記載されている。しかし、図９に示される通り、この免震機構は、回転ユニットを上下動させることで震動を吸収するものであり、回転ユニットを横揺れさせるものではない。よって、建物の横揺れ、特に長周期地震動を抑制する効果はない。
【０００５】
本発明は、回転可能な回転ユニットを有する建物において、地震時の建物全体の震動を抑制することを目的とする。
【課題を解決するための手段】
【０００６】
本発明は、回転可能な回転ユニットと、前記回転ユニットを揺動可能に支持する揺動支持機構を有することを特徴とする建物とした。
【発明の効果】
【０００７】
本発明では、回転可能な回転ユニットを有するため、部屋の眺望や向きを変化させることができる。更に、回転ユニットが揺動可能であるため、地震時に回転ユニットが横揺れすることで建物全体の横揺れが小さくなる。本発明は、長周期地震動に対する免震効果が大きい。
【図面の簡単な説明】
【０００８】
【図１】本発明の１実施形態の建物１の側面図である。
【図２】建物１の１つのフロアを示す平面図である。
【図３】図２のＸ−Ｘ断面で１つのフロアを示す。
【図４】図４は、回転機構４０、揺動支持機構３０及び回転ユニット５を平面視で示す。
【図５】回転ユニット５の揺動の様子を示す。
【図６】リング４１及び固定部材３１の変形形態を示す。
【図７】他の実施形態の回転ユニット５を示す。
【発明を実施するための形態】
【０００９】
図１は、本発明の１実施形態の建物１の側面図を示す。建物１は、複数のフロアを有する建築物である。図では、７階建て（７フロア）の建物１を示すが、フロアの数は任意である。各フロアは、フロア空間２、床３及び天井４を有する。天井４には、回転ユニット５を回転させるための回転機構４０が設置され、フロア空間２には、回転機構４０から吊下された回転ユニット５が収容されている。回転ユニット５と床３の間には僅かな隙間が設けられており、回転ユニット５は回転／揺動することが可能な状態に保たれている（固定されていない）。
【００１０】
図２は、フロア空間２を平面視で示す。図示のように、フロアの中心にエレベーターホール２１があり、その外周に共用スペース２２がある。その外周に回転ユニット５が位置し、回転ユニット５の外周に共用スペース２３がある。エレベーターホール２１には、エレベータの他、水道、ガス、電気等の設備を収納することができる。回転ユニット５は、円環状の形状を有する。回転ユニット５の中には円環に沿って配列された複数の部屋６（図では、１２個の部屋）がある。各部屋６は、住居やオフィス等として使用できる。共用スペース２２、２３は、廊下として使用できる。共用スペース２２には中階段２４が設けられ、共用スペース２３には非常階段２５が設けられている。フロア空間２の四隅には、天井４及び／又は建物１全体を支える柱２６がある。２７は、フェンス、窓等である。回転ユニット５の各部屋６からフェンス等２７を通して外の景色を見ることができる。
【００１１】
図３は、図２のＸ−Ｘ断面で１つのフロアを示す。エレベーターホール２１やフェンス２７その他は図示省略した。図４は、回転機構４０、揺動支持機構３０及び回転ユニット５を平面視で示す。図示のように、回転機構４０は、円形のリング４１と駆動装置４２を有する。リング４１は、鋼鉄等で形成される。駆動装置４２は、モーターや動力伝達機構等で構成される。駆動装置４２の駆動によって、リング４１は、円の中心の周りで回転（自転）する。回転ユニット５は、複数の揺動支持機構３０でリング４１から吊下されている。図示の例では、４つの揺動支持機構３０が円周方向に等間隔で配置されている。揺動支持機構３０の個数は任意である。例えば、３個〜１２個等とすることができる。揺動支持機構３０は、固定部材３１と揺動部材３２を有する。固定部材３１は、揺動支持機構３０をリング４１に固定するための部材であり、金属枠とボルト等で構成できる。揺動部材３２は、回転ユニット５を横方向に揺動可能に支持するための部材であり、例えば、高強度のバネや弾性体、ロープ等で構成できる。
【００１２】
本実施形態の建物１では、リング４１が回転することにより、回転ユニット５が回転（自転）する。よって、各部屋６の向きや眺望を変化させることができる。また、回転ユニット５が揺動支持機構３０により支持されているため、地震があった場合、図５に示すように、回転ユニット５がフロアに対して（天井３、回転機構４０、床４、エレベーターホール２１、柱２６等の建物構造に対して）横方向に揺動できる。そのため、建物１全体の揺れを吸収・抑制することができる。図５に示すように、各フロアで回転ユニット５の揺動方向が異なることによっても、揺れが一層吸収・抑制される。建物１内の大きな構造物である回転ユニット５を横方向に揺らすことで、特に、長周期地震動に対する免震効果が大きくなる。回転ユニット５の内周及び外周にスペース（共用スペース２２、２３）があるため、回転ユニット５が横揺れできる充分な幅が確保され、効果的に震動を吸収・抑制できる。本実施形態では、建物１の四隅に非常階段２５を有することで、建物強度が強化されている。
【００１３】
上記実施形態では、揺動部材３２に揺動可能な部材（バネや弾性体等）を使用したが、他の方法で回転ユニット５を揺動させてもよい。例えば、固定部材３１と揺動部材３２の間を揺動継手（ユニバーサルジョイント等）で接続する構造とするとよい。他の好ましい実施形態として、図６に示すように、リング４１の断面形状を円形にし、リング４１に対して固定部材３１が揺動するようにしてもよい。これらの場合、揺動部材３２はバネや弾性体等である必要はない。上記実施形態では、回転するリング４１に揺動支持機構３０が固定されているが、回転しないリング４１（円形軌道／レール）を使用し、リング４１に沿って揺動支持機構３０が移動するようにしてもよい。例えば、固定部材３１に１つ又は複数の車輪を設けてリング４１上を走行させることができる。上記実施形態では、回転ユニット５（部屋６の配置）が円環状の場合を示したが、他の形状・配置（例えば、図７に例示するような中空多角環状の形状・配置）でもよい。
【符号の説明】
【００１４】
１・・・建物
２・・・フロア空間
３・・・床
４・・・天井
５・・・回転ユニット
６・・・部屋
２１・・・エレベーターホール
２２・・・共用スペース
２３・・・共用スペース
２４・・・中階段
２５・・・非常階段
２６・・・柱
２７・・・フェンス、窓等
３０・・・揺動支持機構
３１・・・固定部材
３２・・・揺動部材
４０・・・回転機構
４１・・・リング
４２・・・駆動装置
【図１】
2017214705.tif 000003
【図２】
2017214705.tif 000004
【図３】
2017214705.tif 000005
【図４】
2017214705.tif 000006
【図５】
2017214705.tif 000007
【図６】
2017214705.tif 000008
【図７】
2017214705.tif 000009